【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
一般式（I）
【化１】
1998245391.tif 000001
（但し、式中、Ｒ1は水素原子、アシル基、アルキル基、シクロアルキル基、アルケニル基、又はアラルキル基であり、Ｒ2は水素原子、アルキル基、シクロアルキル基、アルケニル基、又はアラルキル基であり、Ｒ3はグルコシル基、マンノシル基、ガラクトシル基からなる群から選ばれる水酸基が保護された又は未保護のグリコシル基である。）で表される７−グリコシロキシベンゾピラン誘導体又はその生理学的に許容される塩を有効成分とする糖尿病治療剤。
【請求項２】
Ｒ1が水素原子、アシル基、アルキル基、シクロアルキル基、アルケニル基、又はアラルキル基であり、Ｒ2が水素原子又はアラルキル基である請求項１に記載の７−グリコシロキシベンゾピラン誘導体又はその生理学的に許容される塩を有効成分とする糖尿病治療剤。
【請求項３】
Ｒ1が水素原子又はアシル基であり、Ｒ2が水素原子、アルキル基、シクロアルキル基、アルケニル基、又はアラルキル基である請求項１に記載の７−グリコシロキシベンゾピラン誘導体又はその生理学的に許容される塩を有効成分とする糖尿病治療剤。
【請求項４】
Ｒ1が水素原子、アルキル基、シクロアルキル基、又はアルケニル基であり、Ｒ2が水素原子、アルキル基、シクロアルキル基、又はアルケニル基である請求項１に記載の７−グリコシロキシベンゾピラン誘導体又はその生理学的に許容される塩を有効成分とする糖尿病治療剤。
【請求項５】
アシル基がアルカノイル基であり、アラルキル基がベンジル基である請求項１〜３のいずれか１項に記載の７−グリコシロキシベンゾピラン誘導体又はその生理学的に許容される塩を有効成分とする糖尿病治療剤。
【請求項６】
Ｒ1が炭素数１〜１２のアルキル基である請求項１、２、又は４に記載の７−グリコシロキシベンゾピラン誘導体又はその生理学的に許容される塩を有効成分とする糖尿病治療剤。
【請求項７】
Ｒ1が炭素数５〜８のシクロアルキル基である請求項１、２、又は４に記載の７−グリコシロキシベンゾピラン誘導体又はその生理学的に許容される塩を有効成分とする糖尿病治療剤。
【請求項８】
Ｒ1が炭素数２〜１０のアルケニル基である請求項１、２、又は４に記載の７−グリコシロキシベンゾピラン誘導体又はその生理学的に許容される塩を有効成分とする糖尿病治療剤。
【請求項９】
Ｒ2が水素原子である請求項６〜８のいずれか１項に記載の７−グリコシロキシベンゾピラン誘導体又はその生理学的に許容される塩を有効成分とする糖尿病治療剤。
【請求項１０】
Ｒ2が炭素数１〜１２のアルキル基である請求項１、３、又は４に記載の７−グリコシロキシベンゾピラン誘導体又はその生理学的に許容される塩を有効成分とする糖尿病治療剤。
【請求項１１】
Ｒ2が炭素数５〜８のシクロアルキル基である請求項１、３、又は４に記載の７−グリコシロキシベンゾピラン誘導体又はその生理学的に許容される塩を有効成分とする糖尿病治療剤。
【請求項１２】
Ｒ2が炭素数２〜１０のアルケニル基である請求項１、３、又は４に記載の７−グリコシロキシベンゾピラン誘導体又はその生理学的に許容される塩を有効成分とする糖尿病治療剤。
【請求項１３】
Ｒ1が水素原子である請求項１０〜１２のいずれか１項に記載の７−グリコシロキシベンゾピラン誘導体又はその生理学的に許容される塩を有効成分とする糖尿病治療剤。
【請求項１４】
Ｒ3がグルコシル基である請求項１〜１３のいずれか１項に記載の７−グリコシロキシベンゾピラン誘導体又はその生理学的に許容される塩を有効成分とする糖尿病治療剤。
【請求項１５】
Ｒ3がマンノシル基である請求項１〜１３のいずれか１項に記載の７−グリコシロキシベンゾピラン誘導体又はその生理学的に許容される塩を有効成分とする糖尿病治療剤。
【請求項１６】
Ｒ3がガラクトシル基である請求項１〜１３のいずれか１項に記載の７−グリコシロキシベンゾピラン誘導体又はその生理学的に許容される塩を有効成分とする糖尿病治療剤。
【請求項１７】
Ｒ3が未保護のグリコシル基である請求項１〜１３のいずれか１項に記載の７−グリコシロキシベンゾピラン誘導体又はその生理学的に許容される塩を有効成分とする糖尿病治療剤。
【請求項１８】
Ｒ3がアシル基又はアラルキル基で保護されたグリコシル基である請求項１〜１３のいずれか１項に記載の７−グリコシロキシベンゾピラン誘導体又はその生理学的に許容される塩を有効成分とする糖尿病治療剤。
【手続補正２】
【補正対象書類名】明細書
【補正対象項目名】０００８
【補正方法】変更
【補正の内容】
【０００８】
（但し、式中、Ｒ1は水素原子、アシル基、アルキル基、シクロアルキル基、アルケニル基、又はアラルキル基であり、Ｒ2は水素原子、アルキル基、シクロアルキル基、アルケニル基、又はアラルキル基であり、Ｒ3はグルコシル基、マンノシル基、ガラクトシル基からなる群から選ばれる水酸基が保護された又は未保護のグリコシル基である。）で表される７−グリコシロキシベンゾピラン誘導体又はその生理学的に許容される塩を有効成分とする糖尿病治療剤、


【手続補正３】
【補正対象書類名】明細書
【補正対象項目名】０００９
【補正方法】変更
【補正の内容】
【０００９】
（２） Ｒ1が水素原子、アシル基、アルキル基、シクロアルキル基、アルケニル基、又はアラルキル基であり、Ｒ2が水素原子又はアラルキル基である（１）に記載の７−グリコシロキシベンゾピラン誘導体又はその生理学的に許容される塩を有効成分とする糖尿病治療剤、


【手続補正４】
【補正対象書類名】明細書
【補正対象項目名】００１０
【補正方法】変更
【補正の内容】
【００１０】
（３） Ｒ1が水素原子又はアシル基であり、Ｒ2が水素原子、アルキル基、シクロアルキル基、アルケニル基、又はアラルキル基である（１）に記載の７−グリコシロキシベンゾピラン誘導体又はその生理学的に許容される塩を有効成分とする糖尿病治療剤、


【手続補正５】
【補正対象書類名】明細書
【補正対象項目名】００１１
【補正方法】変更
【補正の内容】
【００１１】
（４） Ｒ1が水素原子、アルキル基、シクロアルキル基、又はアルケニル基であり、Ｒ2が水素原子、アルキル基、シクロアルキル基、又はアルケニル基である（１）に記載の７−グリコシロキシベンゾピラン誘導体又はその生理学的に許容される塩を有効成分とする糖尿病治療剤、


【手続補正６】
【補正対象書類名】明細書
【補正対象項目名】００１２
【補正方法】変更
【補正の内容】
【００１２】
（５） アシル基がアルカノイル基であり、アラルキル基がベンジル基である（１）〜（３）のいずれか１つに記載の７−グリコシロキシベンゾピラン誘導体又はその生理学的に許容される塩を有効成分とする糖尿病治療剤、


【手続補正７】
【補正対象書類名】明細書
【補正対象項目名】００１３
【補正方法】変更
【補正の内容】
【００１３】
（６） Ｒ1が炭素数１〜１２のアルキル基である（１）、（２）、又は（４）に記載の７−グリコシロキシベンゾピラン誘導体又はその生理学的に許容される塩を有効成分とする糖尿病治療剤、（７） Ｒ1が炭素数５〜８のシクロアルキル基である（１）、（２）、又は（４）に記載の７−グリコシロキシベンゾピラン誘導体又はその生理学的に許容される塩を有効成分とする糖尿病治療剤、


【手続補正８】
【補正対象書類名】明細書
【補正対象項目名】００１４
【補正方法】変更
【補正の内容】
【００１４】
（８） Ｒ1が炭素数２〜１０のアルケニル基である（１）、（２）、又は（４）に記載の７−グリコシロキシベンゾピラン誘導体又はその生理学的に許容される塩を有効成分とする糖尿病治療剤、


【手続補正９】
【補正対象書類名】明細書
【補正対象項目名】００１５
【補正方法】変更
【補正の内容】
【００１５】
（９） Ｒ2が水素原子である（６）〜（８）のいずれか１つに記載の７−グリコシロキシベンゾピラン誘導体又はその生理学的に許容される塩を有効成分とする糖尿病治療剤、


【手続補正１０】
【補正対象書類名】明細書
【補正対象項目名】００１６
【補正方法】変更
【補正の内容】
【００１６】
（１０） Ｒ2が炭素数１〜１２のアルキル基である（１）、（３）、又は（４）に記載の７−グリコシロキシベンゾピラン誘導体又はその生理学的に許容される塩を有効成分とする糖尿病治療剤、


【手続補正１１】
【補正対象書類名】明細書
【補正対象項目名】００１７
【補正方法】変更
【補正の内容】
【００１７】
（１１） Ｒ2が炭素数５〜８のシクロアルキル基である（１）、（３）、又は（４）に記載の７−グリコシロキシベンゾピラン誘導体又はその生理学的に許容される塩を有効成分とする糖尿病治療剤、


【手続補正１２】
【補正対象書類名】明細書
【補正対象項目名】００１８
【補正方法】変更
【補正の内容】
【００１８】
（１２） Ｒ2が炭素数２〜１０のアルケニル基である（１）、（３）、又は（４）に記載の７−グリコシロキシベンゾピラン誘導体又はその生理学的に許容される塩を有効成分とする糖尿病治療剤、


【手続補正１３】
【補正対象書類名】明細書
【補正対象項目名】００１９
【補正方法】変更
【補正の内容】
【００１９】
（１３） Ｒ1が水素原子である（１０）〜（１２）のいずれか１つに記載の７−グリコシロキシベンゾピラン誘導体又はその生理学的に許容される塩を有効成分とする糖尿病治療剤、


【手続補正１４】
【補正対象書類名】明細書
【補正対象項目名】００２０
【補正方法】変更
【補正の内容】
【００２０】
（１４） Ｒ3がグルコシル基である（１）〜（１３）のいずれか１つに記載の７−グリコシロキシベンゾピラン誘導体又はその生理学的に許容される塩を有効成分とする糖尿病治療剤、


【手続補正１５】
【補正対象書類名】明細書
【補正対象項目名】００２１
【補正方法】変更
【補正の内容】
【００２１】
（１５） Ｒ3がマンノシル基である（１）〜（１３）のいずれか１つに記載の７−グリコシロキシベンゾピラン誘導体又はその生理学的に許容される塩を有効成分とする糖尿病治療剤、


【手続補正１６】
【補正対象書類名】明細書
【補正対象項目名】００２２
【補正方法】変更
【補正の内容】
【００２２】
（１６） Ｒ3がガラクトシル基である（１）〜（１３）のいずれか１つに記載の７−グリコシロキシベンゾピラン誘導体又はその生理学的に許容される塩を有効成分とする糖尿病治療剤、


【手続補正１７】
【補正対象書類名】明細書
【補正対象項目名】００２３
【補正方法】変更
【補正の内容】
【００２３】
（１７） Ｒ3が未保護のグリコシル基である（１）〜（１３）のいずれか１つに記載の７−グリコシロキシベンゾピラン誘導体又はその生理学的に許容される塩を有効成分とする糖尿病治療剤、


【手続補正１８】
【補正対象書類名】明細書
【補正対象項目名】００２４
【補正方法】変更
【補正の内容】
【００２４】
（１８） Ｒ3がアシル基又はアラルキル基で保護されたグリコシル基である（１）〜（１３）のいずれか１つに記載の７−グリコシロキシベンゾピラン誘導体又はその生理学的に許容される塩を有効成分とする糖尿病治療剤である。
【００２５】


【手続補正１９】
【補正対象書類名】明細書
【補正対象項目名】０１６７
【補正方法】変更
【補正の内容】
【０１６７】
【発明の効果】
本発明の７−グリコシロキシベンゾピラン誘導体又はその生理学的に許容される塩を有効成分とする糖尿病治療剤は、糖代謝能改善作用及び安全性に優れている。